(57)【要約】【課題】生体情報測定装置に取り付けた状態でも生体インピーダンスを測定することのできる生体情報測定装置用カバーを提供する。【解決手段】導電部１４が設けられ、パイルが織り込まれた布素材から成り、生体情報測定装置２０の測定面２２に取り付けられるカバー本体１２と、カバー本体１２に設けられ、生体情報測定装置２０の測定面２２にカバー本体１２を着脱可能に保持する保持手段１６と、を備える。【選択図】図１
2015213607.tif 000002
【特許請求の範囲】
【請求項１】
導電部が設けられ、パイルが織り込まれた布素材から成り、生体情報測定装置の測定面に取り付けられるカバー本体と、
前記カバー本体に設けられ、前記生体情報測定装置の測定面に前記カバー本体を着脱可能に保持する保持手段と、
を備える生体情報測定装置用カバー。
【請求項２】
前記導電部は、前記生体情報測定装置の測定面に設けられた電極部と対応する部位に設けられている、請求項１に記載の生体情報測定装置用カバー。
【請求項３】
前記導電部は、前記カバー本体の他の部位と模様又は色彩によって識別されている、請求項１又は２に記載の生体情報測定装置用カバー。
【請求項４】
前記導電部は、前記カバー本体の他の部位より盛り上がっている、請求項１〜３のいずれか１項に記載の生体情報測定装置用カバー。
【請求項５】
前記導電部は、布素材に織り込まれた導電性繊維で形成されている、請求項１〜４のいずれか１項に記載の生体情報測定装置用カバー。
【請求項６】
前記導電部は、前記パイルに被覆された導電性部材で形成されている、請求項１〜４のいずれか１項に記載の生体情報測定装置用カバー。
【請求項７】
前記保持手段は、前記カバー本体の裏面に設けられた粘着性を有する樹脂材料から成る保持層であり、前記保持層の前記カバー本体の前記導電部に対応する部位には、導電性物質が含有されている、請求項１〜６のいずれか１項に記載の生体情報測定装置用カバー。
【請求項８】
前記カバー本体は、筒状に形成された一対の布素材である、請求項１〜請求項７のいずれか１項に記載の生体情報測定装置用カバー。
【発明の詳細な説明】
【技術分野】
【０００１】
本発明は、生体情報測定装置用カバーに関する。
【背景技術】
【０００２】
特許文献１に示すように、生体インピーダンスを測定することによって、体脂肪率等の生体情報を算出する生体情報測定装置が知られている。従来、このような生体情報測定装置で測定を行う際には、生体情報測定装置の測定面に設けられた電極部に、直接手や足を接触させることにより計測を行っている。
【先行技術文献】
【特許文献】
【０００３】
【特許文献１】特開平０３−１４３７０１号公報
【発明の概要】
【発明が解決しようとする課題】
【０００４】
しかし、生体情報測定装置を毎日使用したり、不特定多数の人が使用すると、生体情報測定装置の測定面が汚れ、不衛生となる。また、生体情報測定装置の測定面は、一般に、プラスチック、ガラス、金属などで形成されていることから、特に冬場などは、手や足を接触させた際に、冷たさを感じることがある。
【０００５】
このため、生体情報測定装置にカバーを取り付けることが考えられる。しかし、電極部がカバーで覆われると、電極部と足裏又は手のひらが導通しなくなり、生体インピーダンスを測定することができなくなる。
【０００６】
本発明は上記事実を考慮し、生体情報測定装置に取り付けた状態でも生体インピーダンスを測定することのできる生体情報測定装置用カバーを提供することを目的とする。
【課題を解決するための手段】
【０００７】
請求項１に係る生体情報測定装置用カバーは、導電部が設けられ、パイルが織り込まれた布素材から成り、生体情報測定装置の測定面に取り付けられるカバー本体と、前記カバー本体に設けられ、生体情報測定装置の測定面に前記カバー本体を着脱可能に保持する保持手段と、を備える。
【０００８】
上記構成によれば、生体情報測定装置の測定面に取り付けられるカバー本体が、パイルが織り込まれた布素材から成るため、身体を接触させた際に肌触りがよく、冷たさを感じない。また、カバー本体が、保持手段によって生体情報測定装置に着脱可能に取り付けられているため、生体情報測定装置用カバーを取り外して洗濯することで、カバー本体を清潔に保つことができる。
【０００９】
さらに、カバー本体に導電部が設けられているため、生体情報測定装置の測定面の電極部と導通させて生体インピーダンスを測定することができる。
【００１０】
請求項２に係る生体情報測定装置用カバーは、前記導電部は、前記生体情報測定装置の測定面に設けられた電極部と対応する部位に設けられている。  
【００１１】
上記構成によれば、カバー本体の電極部と生体情報測定装置の測定面の電極部とが対応している。したがって、生体情報測定装置用カバーを生体情報測定装置の測定面に取り付けた状態で、カバー本体の導電部に手や足を接触させることで、導電部を介して生体情報測定装置によって生体インピーダンスを測定することができる。
【００１２】
請求項３に係る生体情報測定装置用カバーは、前記導電部は、前記カバー本体の他の部位と模様又は色彩によって識別されている。
【００１３】
上記構成によれば、導電部が模様又は色彩によって識別されている。したがって、生体情報測定装置用カバーに手や足を接触させる際の目印となり、導電部に確実に手や足を接触させることができる。
【００１４】
請求項４に係る生体情報測定装置用カバーは、前記導電部は、前記カバー本体の他の部位より盛り上がっている。
【００１５】
上記構成によれば、導電部が他の部位より盛り上がっているため、導電部が認識し易く、また、手のひらや足裏全体に導電部が当り易くなる。
【００１６】
請求項５に係る生体情報測定装置用カバーは、前記導電部は、布素材に織り込まれた導電性繊維で形成されている。
また、請求項６に係る生体情報測定装置用カバーは、前記導電部は、前記パイルに被覆された導電性部材で形成されている。
【００１７】
上記構成によれば、布素材にパイルとともに導電性繊維を織り込む、もしくは、パイルに導電性部材を被覆した後に布素材にパイルを織り込むことによって、カバー本体に容易に導電部を設けることができる。
【００１８】
請求項７に係る生体情報測定装置用カバーは、前記保持手段は、前記カバー本体の裏面に設けられた粘着性を有する樹脂材料から成る保持層であり、前記保持層の前記カバー本体の前記導電部に対応する部位には、導電性物質が含有されている。
【００１９】
上記構成によれば、樹脂材料から成る保持層の粘着力によって、生体情報測定装置カバーを生体情報測定装置の測定面に着脱可能に保持することができる。また、保持層は絶縁性の樹脂材料から成るが、カバー本体の導電部に対応する部位は、導電性物質が含有されることにより導電性を有している。したがって、保持層を介してカバー本体を生体情報測定装置の測定面に取り付けた場合でも、カバー本体の導電部に手や足を接触させることで、生体情報測定装置によって生体インピーダンスを測定することができる。
【００２０】
請求項８に係る生体情報測定装置用カバーは、前記カバー本体は、筒状に形成された一対の布素材である。
【００２１】
上記構成によれば、手のひらに接触して生体インピーダンスを測定する電極、いわゆる手電極が設けられた略円柱形状の生体情報測定装置において、筒状に形成されたカバー本体で測定面をすっぽりと覆うことで、測定面全体を清潔に保つことができる。
【発明の効果】
【００２２】
本発明によれば、生体情報測定装置に取り付けた状態でも生体インピーダンスを測定することのできる生体情報測定装置用カバーを提供することができる。
【図面の簡単な説明】
【００２３】
【図１】（Ａ）は第１実施形態の生体情報測定装置用カバーの生体情報測定装置への取付け前を示す斜視図であり、（Ｂ）は取付け後のＡ−Ａ断面図である。
【図２】（Ａ）は第２実施形態の生体情報測定装置用カバーを示す斜視図であり、（Ｂ）は第２実施形態の生体情報測定装置用カバーの生体情報測定装置への取付け後を示す斜視図であり、（Ｃ）は取付け後のＢ−Ｂ断面図である。
【図３】（Ａ）は第３実施形態の生体情報測定装置用カバーの生体情報測定装置への取付け後を示す斜視図であり、（Ｂ）はそのＣ−Ｃ断面図であり、（Ｃ）はその底面図である。
【図４】（Ａ）は第４実施形態の生体情報測定装置用カバーの生体情報測定装置への取付け後を示す斜視図であり、（Ｂ）はそのＤ−Ｄ断面図である。
【図５】（Ａ）は第５実施形態の生体情報測定装置用カバーの生体情報測定装置への取付け後を示す斜視図であり、（Ｂ）はそのＥ−Ｅ断面図である。
【図６】（Ａ）は第６実施形態の生体情報測定装置用カバーを示す斜視図であり、（Ｂ）はそのＦ−Ｆ断面図である。
【図７】（Ａ）は変形例の生体情報測定装置への生体情報測定装置用カバーの取付け前を示す斜視図であり、（Ｂ）は取付け後を示す斜視図である。
【図８】変形例の生体情報測定装置の手電極への生体情報測定装置用カバーの取付け前を示す斜視図である。
【図９】（Ａ）は変形例の生体情報測定装置の手電極への生体情報測定装置用カバーの取付け前を示す斜視図であり、（Ｂ）は取付け後を示す斜視図である。
【発明を実施するための形態】
【００２４】
本発明の実施形態に係る生体情報測定装置用カバーの一例について、図面を用いて詳細に説明する。
【００２５】
（第１実施形態）
図１に示すように、第１実施形態の生体情報測定装置用カバー１０は、カバー本体１２と、保持層（保持手段）１６とが積層されて構成されている。
【００２６】
カバー本体１２は、パイル（毛羽）がループ状に織り込まれたタオル生地の布素材である。カバー本体１２は、図１（Ａ）に示すように、１辺に四角形状の切欠き１２Ａが形成されたコの字型形状を有している。また、カバー本体１２には、カバー本体１２の表面及び裏面間を導通させる導電部１４が４箇所に設けられている。
【００２７】
導電部１４は、カバー本体１２を構成する布素材に、パイルとともに導電性繊維である金属繊維１４Ａを織り込むことによって形成されている。本実施形態では、金属繊維１４Ａはアルミや鉄等の金属から成り、パイルの繊維の太さと同等の太さに形成されているが、例えば、金属繊維１４Ａが、パイルの繊維に螺旋状に巻回されて布素材に織り込まれていてもよく、これらに限られるものではない。
【００２８】
導電部１４は、後述する生体情報測定装置２０の足電極２６にそれぞれ対応する部位に設けられており、絶縁性材料である布素材で隔てられている。また、導電部１４は、周囲のカバー本体１２と異なる模様又は色彩とされている。具体的には、導電部１４のパイルを染色する、又は他の部位と異なる色彩のパイルを織り込むことによって、カバー本体１２の他の部位と識別されている。
【００２９】
保持層１６は、粘着性を有するシリコン樹脂又はウレタン樹脂等の樹脂材料から成り、カバー本体１２の裏面に塗布、又は貼着されている。また、図１（Ｂ）に示すように、保持層１６のカバー本体１２の導電部１４に対応する部位には、それぞれ導電性樹脂部１８が形成されている。本実施形態では、絶縁性材料である樹脂材料に、導電性物質であるアルミや鉄等の金属粒子等を含有させることにより、導電性樹脂としているが、例えば、導電性高分子を用いるなど、他の手法も用いてもよい。
【００３０】
一方、生体情報測定装置２０は、足を測定面２２に載せて体重等の生体情報を測定するタイプであり、図１（Ａ）に示すように、測定面２２には数値が表示される四角形状の情報表示部２４が設けられている。また、測定面２２には、通電用右足電極２６Ａ、測定用右足電極２６Ｂ、通電用左足電極２６Ｃ、測定用左足電極２６Ｄから成る４個の足電極（電極部）２６が設けられている。さらに、生体情報測定装置２０の裏面（底面）には４個の脚部２８が形成されており、脚部２８には図示しない体重計測用のセンサが設けられている。
【００３１】
図１（Ｂ）に示すように、生体情報測定装置用カバー１０は、保持層１６を下側に向けて生体情報測定装置２０の測定面２２に載置される。このとき、生体情報測定装置用カバー１０は、情報表示部２４を覆わないよう、切欠き１２Ａが情報表示部２４の上となるように生体情報測定装置２０の測定面２２に載置される。なお、着脱を容易にするために、保持層１６の裏面にストライプ状の凸凹を形成し、凸部分のみが生体情報測定装置２０の測定面２２に当接するようにしてもよい。
【００３２】
また、カバー本体１２の導電部１４、及び保持層１６の導電性樹脂部１８は、測定面２２の足電極２６上に位置する。そのため、生体情報測定装置用カバー１０の上に足を載せると、導電部１４及び導電性樹脂部１８を介して足裏と足電極２６とが導通する。なお、導電部１４及び導電性樹脂部１８の足電極２６に対向する面の面積は、足電極２６の面積より大きくてもよく、逆に小さくてもよい。
【００３３】
第１実施形態では、足が載る生体情報測定装置用カバー１０のカバー本体１２は、タオル生地から成るため、暖かく、肌触りがよい。また、吸水性がよく、洗濯機で洗濯することができ、取り扱いが容易である。
【００３４】
また、生体情報測定装置用カバー１０は、切欠き１２Ａが形成されたコの字型形状であるため、生体情報測定装置２０の情報表示部２４の目視を可能にしつつ、測定面２２全体を保護することができる。
【００３５】
また、生体情報測定装置用カバー１０は、粘着性を有する保持層１６によって生体情報測定装置２０の測定面２２に着脱可能に保持されているため、洗濯して繰り返し使用することができ、カバー本体１２を清潔に保つことができる。
【００３６】
さらに、布素材に導電性の金属繊維１４Ａを織り込むことでカバー本体１２に導電部１４を設けたため、測定面２２に足電極２６が設けられている生体情報測定装置２０であれば、生体情報測定装置用カバー１０を取り付けた状態で体重とともに生体インピーダンスを測定することができる。
【００３７】
また、導電部１４は、周囲のカバー本体１２と異なる模様又は色彩とされることによって、カバー本体１２の他の部位と識別されている。したがって、生体情報測定装置用カバー１０に手や足を接触させる際の目印となり、導電部１４に確実に手や足を接触させることができる。
【００３８】
（第２実施形態）
第２実施形態では、図２に示すように、生体情報測定装置用カバー３０は、カバー本体３２と、２種類の保持手段３４、３６とから構成されている。第２実施形態において、保持手段３４、３６は、「マジックテープ（登録商標）」などの名称で知られる面ファスナであり、３４が雄側面ファスナ、３６が雌側面ファスナである。
【００３９】
カバー本体３２は、第１実施形態と同様のタオル生地の布素材であり、四角形状の穴３２Ａが形成された帯形状を有している。また、生体情報測定装置２０の測定面２２から裏面にかけて巻きつけることができる大きさとされている。さらに、カバー本体３２には、カバー本体３２の表面及び裏面間を導通させる導電部３３が４箇所に設けられている。
【００４０】
導電部３３は、パイルに導電性部材である金属材料３３Ａを被覆した後、カバー本体１２を構成する布素材にパイルを織り込むことによって形成されている。金属材料３３Ａはアルミや鉄等の金属から成り、無電解めっきや真空蒸着等によってパイルに被覆される。
【００４１】
また、導電部３３及び導電部３３の周囲の足が載る部位の厚さは、他の部位のカバー本体３２の厚さに比べて厚くされており、導電部３３及び導電部３３の周囲は、他の部位のカバー本体３２から足型に盛り上がった形状となっている。
【００４２】
雄側面ファスナ（保持手段）３４は、フック状の起毛が形成された布であり、２個の雄側面ファスナ３４が、カバー本体３２の一端の表面に貼り付けられている。雌側面ファスナ（保持手段）３６は、ループ状の起毛が形成された布であり、２個の雌側面ファスナ３６がカバー本体３２の他端の裏面に貼り付けられている。
【００４３】
図２（Ｃ）に示すように、生体情報測定装置用カバー３０は、生体情報測定装置２０に巻きつけられ、生体情報測定装置２０の裏面で雌側面ファスナ３６が雄側面ファスナ３４に係合されることで、生体情報測定装置２０に固定される。このとき、カバー本体３２の導電部３３は、測定面２２の足電極２６上に位置する。
【００４４】
また、図２（Ｂ）に示すように、生体情報測定装置２０の情報表示部２４上にカバー本体３２の穴３２Ａが位置するため、情報表示部２４が生体情報測定装置用カバー３０で覆われる虞はない。
【００４５】
（第３実施形態）
第３実施形態では、保持手段として、第２実施形態の雄側面ファスナ３４と雌側面ファスナ３６の代わりに、磁石（保持手段）３８と磁性体（保持手段）３９が用いられる。その他の構成は第２実施形態と同様であるため、同じ符号を使用し、説明を省略する。
【００４６】
２個の磁石３８がカバー本体３２の一端の表面に貼り付けられ、２個の磁性体３９がカバー本体３２の他端の裏面に取り付けられている。生体情報測定装置用カバー３０は、生体情報測定装置２０に巻きつけられ、生体情報測定装置２０の裏面で磁性体３９が磁石３８に貼り付けられることで、生体情報測定装置２０に固定される。  
【００４７】
第２実施形態、第３実施形態では、保持手段として、雄側面ファスナ３４及び雌側面ファスナ３６、または磁石３８及び磁性体３９を用いて、生体情報測定装置用カバー３０を生体情報測定装置２０の測定面２２に着脱可能に取り付けることができる。
【００４８】
また、生体情報測定装置用カバー３０を生体情報測定装置２０に巻きつけて固定するため、生体情報測定装置用カバー３０を生体情報測定装置２０に確実に取り付けることができる。また、導電部３３及び導電部３３の周囲が、他の部位のカバー本体３２から足型に盛り上がった形状とされているため、足を載せる位置が認識し易い。
【００４９】
また、パイルに金属材料３３Ａを被覆することでカバー本体３２に導電部３３を設けることができるため、測定面２２に足電極２６が設けられている生体情報測定装置２０であれば、生体情報測定装置用カバー３０を取り付けた状態で体重とともに生体インピーダンスを測定することができる。
【００５０】
なお、雌側面ファスナ３６または磁性体３９を、カバー本体３２ではなく生体情報測定装置２０に取り付け、カバー本体３２に取り付けられた雄側面ファスナ３４または磁石３８を、生体情報測定装置２０に取り付けられた雌側面ファスナ３６または磁性体３９に、係合または貼着させるようにしてもよい。
【００５１】
（第４実施形態）
図３に示すように、第４実施形態の生体情報測定装置用カバー４０は、カバー本体４２と保持手段４４とから構成されている。第４実施形態において、保持手段４４は、一対のテープ４６とフック４８とで構成されており、８個の保持手段４４がカバー本体４２の外周部分に設けられている。
【００５２】
カバー本体４２は、第１実施形態〜第３実施形態と同様のタオル生地の布素材であり、１辺に四角形状の切欠き４２Ａが形成されたコの字型形状を有している。また、カバー本体４２には、金属繊維４３Ａが織り込まれることによって、４箇所に導電部４３が設けられている。
【００５３】
導電部４３及び導電部４３の周囲の足が載る部位の厚さは、他の部位のカバー本体４２の厚さに比べて薄くされており、導電部４３及び導電部４３の周囲は他の部位のカバー本体４２から足型に窪んだ形状となっている。
【００５４】
テープ４６は柔軟性及び伸縮性を有する帯状の布素材であり、８個のテープ４６の一端がカバー本体４２の外周部分の裏面にそれぞれ縫い付けられている。また、テープ４６の他端にはそれぞれフック４８が取り付けられている。
【００５５】
フック４８はプラスチック製のＵ字型フックである。フック４８には、突出部４９及び突出部４９に形成された貫通孔４９Ａが設けられており、テープ４６の他端が貫通孔４９Ａに通されて突出部４９に結び付けられることにより、テープ４６とフック４８とが固定されている。なお、フック４８は、テープ４６から取り外し可能となっていてもよい。
【００５６】
一方、図３（Ｃ）に示すように、生体情報測定装置２０の裏面（底面）の外周部分には、溝（取付部）２０Ａが全周に亘って形成されている。生体情報測定装置用カバー４０を生体情報測定装置２０に取り付ける際には、カバー本体４２を生体情報測定装置２０の測定面２２に載置した後、８個のフック４８をそれぞれ生体情報測定装置２０の溝２０Ａに嵌合させることにより、生体情報測定装置用カバー４０を生体情報測定装置２０上に固定することができる。
【００５７】
なお、溝２０Ａは、必ずしも全周に亘って形成する必要はなく、例えば、保持手段４４に対応する位置だけに溝２０Ａを形成してもよい。
【００５８】
このとき、カバー本体４２の導電部４３は、測定面２２の足電極２６上に位置する。また、生体情報測定装置２０の情報表示部２４上にカバー本体４２の切欠き４２Ａが位置するため、情報表示部２４が生体情報測定装置用カバー４０で覆われる虞はない。
【００５９】
第４実施形態では、生体情報測定装置用カバー４０は、テープ４６とフック４８とから成る保持手段４４によって生体情報測定装置２０の測定面２２に取り付けられている。したがって、生体情報測定装置用カバー４０の着脱、及び位置決めが容易であり、カバー本体４２の導電部４３を測定面２２の足電極２６上に確実に配置することができる。  
【００６０】
また、導電部４３及び導電部４３の周囲が、他の部位のカバー本体４２から足型に窪んだ形状とされているため、足を載せる位置が認識し易い。さらに、他の部位のカバー本体４２の厚さに比べて、導電部４３の周囲の厚さが薄いため、窪んでいる部位に足を載せることで足裏と足電極２６との距離が近くなり、生体インピーダンスの測定精度を向上させることができる。
【００６１】
（第５実施形態）
第５実施形態では、図４に示すように、生体情報測定装置用カバー５０はカバー本体５２と、環状の紐５４から成る保持手段とから構成されている。カバー本体５２は、第１実施形態〜第４実施形態と同様のタオル生地の布素材であり、人の足型に裁断された一対の布素材から成る。    
【００６２】
また、カバー本体５２には、パイルに金属材料５３Ａを被覆することによって、それぞれ２箇所ずつ導電部５３が設けられている。導電部５３の厚さは、周囲のカバー本体５２の厚さに比べて厚くされており、導電部５３はカバー本体５２から盛り上がった形状となっている。
【００６３】
紐（保持手段）５４は伸縮性を有するゴム紐であり、両端がカバー本体５２の側面に縫い付けられることによって環状とされている。一対のカバー本体５２にはそれぞれ２個ずつ紐５４が設けられている。
【００６４】
一方、生体情報測定装置２０の溝２０Ａには、４個の留め具５６が着脱可能に取り付けられている。留め具５６はプラスチック製のＵ字フックであり、先端が下向きに曲がった鉤型の突起部（凸部）５７を有している。
【００６５】
生体情報測定装置用カバー５０を生体情報測定装置２０に取り付ける際には、カバー本体５２を生体情報測定装置２０の測定面２２に載置した後、４個の環状の紐５４をそれぞれ引き伸ばして留め具５６の突起部５７に係止させることにより、生体情報測定装置用カバー５０を生体情報測定装置２０上に固定することができる。なお、突起部５７は先端が下向きに曲がっているため、係止された紐５４が外れにくくなっている。
【００６６】
このとき、カバー本体５２の導電部５３は、測定面２２の足電極２６上に位置する。そのため、生体情報測定装置用カバー５０の上に足を載せると、導電部５３を介して足裏と足電極２６とが導通する。
【００６７】
第５実施形態では、生体情報測定装置用カバー５０が布素材のカバー本体５２とゴム製の紐５４のみから成るため、取り扱いが容易であり、繰り返し洗濯することができる。
【００６８】
また、生体情報測定装置用カバー５０が足型に裁断された一対のカバー本体５２から成るため、生体情報測定装置２０の測定面２２の足が載る部分のみを確実に覆うことができ、情報表示部２４を覆うことがない。
【００６９】
また、導電部５３はカバー本体５２から盛り上がった形状とされているため、導電部５３の位置が認識し易い。また、足を載せた際に足裏を導電部５３に接触させ易く、厚みがあるため肌触りがよい。
【００７０】
（第６実施形態）
第６実施形態では、図５に示すように、生体情報測定装置用カバー６０は、カバー本体６２と、２本のバンド６４から成る保持手段とから構成されている。また、生体情報測定装置用カバー６０は、シリコン樹脂カバー６６を介して生体情報測定装置２０の測定面２２に載置されている。
【００７１】
カバー本体６２は、第１実施形態のカバー本体１２と同様の、切欠き６２Ａが形成されたコの字型形状のタオル生地の布素材である。また、カバー本体６２には、パイルに金属材料６３Ａを被覆することによって、４箇所に導電部６３が設けられている。周囲のカバー本体６２の厚さに比べて、導電部６３の厚さは厚くされており、導電部６３はカバー本体６２から盛り上がった形状となっている。
【００７２】
バンド（保持手段）６４は、伸縮性を有する帯状のゴムバンドであり、２本のバンド６４がカバー本体６２に並設されている。具体的には、２本のバンド６４の一端がカバー本体６２の一辺にそれぞれ縫い付けられ、他端がカバー本体６２の対向する他辺にそれぞれ縫い付けられることによって、バンド６４がそれぞれ環状とされている。
【００７３】
シリコン樹脂カバー６６は、粘着性を有する薄いシリコン樹脂製のカバーであり、粘着力によって生体情報測定装置２０に密着して取り付けられている。また、シリコン樹脂カバー６６は、生体情報測定装置２０の側面と測定面２２を覆う大きさとされており、生体情報測定装置２０の脚部２８はシリコン樹脂カバー６６で覆われることなく露出している。
【００７４】
また、シリコン樹脂カバー６６のカバー本体６２の導電部６３に対応する部位には、それぞれ導電性樹脂部６８が形成されている。具体的には、絶縁性材料である樹脂材料に、導電性物質であるアルミや鉄等の金属粒子等を含有させることにより、導電性樹脂としている。
【００７５】
生体情報測定装置用カバー６０を生体情報測定装置２０に取り付ける際には、
まず、生体情報測定装置２０にシリコン樹脂カバー６６を取り付け、カバー本体６２をシリコン樹脂カバー６６上に載置した後、シリコン樹脂カバー６６を介してバンド６４を生体情報測定装置２０の側面から裏面（底面）に亘って掛け渡す。
【００７６】
ここで、バンド６４の長さは、生体情報測定装置２０の側面から裏面（底面）に亘る長さより短くされている。したがって、バンド６４の収縮力により生体情報測定装置用カバー６０のカバー本体６２が生体情報測定装置２０の測定面２２に密着固定される。
【００７７】
なお、図５（Ｂ）に示すように、バンド６４は、生体情報測定装置２０の脚部２８を避けて生体情報測定装置２０の裏面（底面）に掛け渡されており、バンド６４の厚さとシリコン樹脂カバー６６の厚さとを合わせた厚さは、脚部２８の高さ（厚さ）より薄くされている。したがって、脚部２８に設けられたセンサによる体重の計測が阻害されることはない。
【００７８】
また、シリコン樹脂カバー６６には、生体情報測定装置２０の情報表示部２４と対応する位置に四角形状の穴６６Ａが形成されている。したがって、情報表示部２４上にシリコン樹脂カバー６６の穴６６Ａ及びカバー本体４２の切欠き４２Ａが位置するため、情報表示部２４が目視可能となっている。
【００７９】
さらに、カバー本体６２の導電部６３、及びシリコン樹脂カバー６６の導電性樹脂部６８は、測定面２２の足電極２６上に位置する。そのため、生体情報測定装置用カバー６０の上に足を載せると、導電部６３及び導電性樹脂部６８を介して足裏と足電極２６とが導通する。
【００８０】
第６実施形態では、保持手段としてのバンド６４のみで、生体情報測定装置用カバー６０を生体情報測定装置２０に容易に取り付けることができる。また、生体情報測定装置用カバー６０が、シリコン樹脂カバー６６を介して生体情報測定装置２０に取り付けられているため、生体情報測定装置用カバー６０とシリコン樹脂カバー６６とで、二重に生体情報測定装置２０の測定面２２を保護することができる。
【００８１】
（第７実施形態）
第７実施形態では、図６に示すように、生体情報測定装置用カバー７０は、カバー本体７２と、ゴム７４から成る保持手段とから構成されている。
【００８２】
カバー本体７２は、第１実施形態〜第６実施形態と同様のタオル生地の布素材であり、天面に穴７２Ａ、底面に開口７２Ｂが形成された略直方体形状の袋形状とされている。また、カバー本体７２には、金属繊維７３Ａが織り込まれることによって、４箇所に導電部７３が設けられている。
【００８３】
ゴム（保持手段）７４は、伸縮性を有する１本のゴム紐である。ゴム７４は、カバー本体７２の周縁部に縫いこまれ、もしくは周縁部に形成された隙間に挿入されて、カバー本体７２の周縁部、すなわち開口７２Ｂの周縁部に、全周に亘って設けられている。
【００８４】
生体情報測定装置用カバー７０を、図示しない生体情報測定装置に取り付ける際には、カバー本体７２のゴム７４を手で引き伸ばした状態で、生体情報測定装置用カバー７０を生体情報測定装置に被せる。その後、手を離すと、ゴム７４が収縮して生体情報測定装置の裏面（底面）の周縁部に巻き締められ、生体情報測定装置用カバー７０が生体情報測定装置に固定される。
【００８５】
このとき、生体情報測定装置用カバー７０は、カバー本体７２の天面の穴７２Ａが生体情報測定装置の情報表示部上となるように取り付けられる。また、カバー本体７２の導電部７３は、生体情報測定装置の足電極上に位置する。
【００８６】
第７実施形態の生体情報測定装置用カバー７０によると、カバー本体７２が、袋形状の布素材であるため、生体情報測定装置全体を保護することができる。さらに、生体情報測定装置用カバー７０は、ゴム７４によって生体情報測定装置に着脱可能に取り付けられているため、洗濯して繰り返し使用することができ、カバー本体７２を清潔に保つことができる。
【００８７】
（変形例）  
本体部８２と、足側測定部８４と、一対の手側測定部８６と、を有するタイプの生体情報測定装置８０を用いた変形例を図７〜図９に示す。
【００８８】
図７に示すように、足側測定部８４は、本体部８２の下端に設けられており、足を載せる略長方形形状の足側測定面８４Ａを有する。また、足側測定面８４Ａには、通電用右足電極８５Ａ、測定用右足電極８５Ｂ、通電用左足電極８５Ｃ、測定用左足電極８５Ｄから成る４個の足電極（電極部）８５が設けられている。
【００８９】
本体部８２の上端には情報表示部８８が設けられており、情報表示部８８の左右両側面に一対の手側測定部８６が着脱可能に取り付けられている。手側測定部８６は円柱形状であり、側面の外周面が手側測定面８６Ａとなっている。さらに、手側測定面８６Ａには、それぞれ通電用手電極及び測定用手電極から成る手電極（電極部）８７が２個ずつ設けられている。
【００９０】
足側測定部８４用の生体情報測定装置用カバー９０は、第７実施形態と同様にカバー本体９２と、カバー本体９２の周縁部（下端部）に設けられたゴム９４から成る保持手段とから構成されている。また、カバー本体９２には、金属繊維９３Ａが織り込まれることによって、４箇所に導電部９３が設けられている。
【００９１】
生体情報測定装置用カバー９０を足側測定部８４に取り付ける際には、ゴム９４を手で引き伸ばした状態で、生体情報測定装置用カバー９０を足側測定部８４に被せる。その後、手を離すと、ゴム９４が収縮して足側測定部８４の側面に巻き締められ、生体情報測定装置用カバー９０が生体情報測定装置８０の足側測定部８４に固定される。
【００９２】
このとき、カバー本体９２の導電部９３は、足側測定面８４Ａの足電極８５上に位置する。そのため、生体情報測定装置用カバー９０の上に足を載せると、導電部９３を介して足裏と足電極８５とが導通する。
【００９３】
なお、足側測定部８４用の生体情報測定装置用カバー９０は、第７実施形態の生体情報測定装置用カバー７０と同様の構成とされていたが、第１実施形態〜第６実施形態のいずれの生体情報測定装置用カバー１０、３０、４０、５０、６０と同様の構成とされていてもよい。
【００９４】
一方、手側測定部８６用の生体情報測定装置用カバー１００は、図８に示すように、カバー本体１０２と、ゴム１０４から成る保持手段とから構成されている。
【００９５】
カバー本体１０２は、足側測定部８４用の生体情報測定装置用カバー９０と同様のタオル生地の布素材であり、下端部に開口１０２Ａが形成された円筒状の袋形状とされている。また、カバー本体１０２には、金属繊維１０３Ａが織り込まれることによって、２箇所に導電部１０３が設けられている。
【００９６】
ゴム（保持手段）１０４は、伸縮性を有する１本のゴム紐である。ゴム１０４は、カバー本体１０２の周縁部に縫いこまれ、もしくは周縁部に形成された隙間に挿入されて、カバー本体１０２の周縁部、すなわち開口１０２Ａの周縁部に、全周に亘って設けられている。
【００９７】
生体情報測定装置用カバー１００を手側測定部８６に取り付ける際には、ゴム１０４を手で引き伸ばした状態で、生体情報測定装置用カバー１００を手側測定部８６に被せる。その後、手を離すと、ゴム１０４が収縮して手側測定部８６の下端の外周面に巻き締められ、生体情報測定装置用カバー１００が生体情報測定装置８０の手側測定部８６に固定される。
【００９８】
このとき、カバー本体１０２の導電部１０３は、手側測定面８６Ａの手電極８７上に位置する。そのため、生体情報測定装置用カバー１００を手で握ると、導電部１０３を介して手のひらと手電極８７とが導通する。
【００９９】
上述したように、変形例のような手側測定部８６を備える生体情報測定装置８０であっても、生体情報測定装置用カバー１００のカバー本体１０２で手側測定面８６Ａを覆って保護することができ、手側測定面８６Ａを清潔に保つことができる。また、カバー本体１０２に導電部１０３が設けられているため、手側測定部８６に生体情報測定装置用カバー１００を取り付けた状態で、生体インピーダンスを測定することができる。
【０１００】
なお、変形例では、手側測定部８６用の生体情報測定装置用カバー１００は、足側測定部８４用の生体情報測定装置用カバー９０と同様の構成とされていたが、第１実施形態〜第６実施形態のいずれの生体情報測定装置用カバー１０、３０、４０、５０、６０と同様の構成とされていてもよい。
【０１０１】
例として、第２実施形態の生体情報測定装置用カバー３０と同様の構成の、手側測定部８６用の生体情報測定装置用カバー１１０を図９に示す。生体情報測定装置用カバー１１０は、カバー本体１１２と、雄側面ファスナ１１４と雌側面ファスナ１１６とから成る保持手段と、から構成されている。
【０１０２】
カバー本体１１２は、帯形状を有するタオル生地の布素材であり、手側測定部８６の手側測定面８６Ａの側面に巻きつけることができる大きさとされている。また、カバー本体１１２には、パイルに金属材料１１３Ａを被覆することによって導電部１１３が２箇所に設けられている。
【０１０３】
さらに、カバー本体１１２の一端の表面には２個の雄側面ファスナ１１４が貼り付けられており、カバー本体１１２の他端の裏面には２個の雌側面ファスナ１１６が貼り付けられている。
【０１０４】
生体情報測定装置用カバー１１０は、手側測定部８６の手側測定面８６Ａに巻きつけられ、雄側面ファスナ１１４と雌側面ファスナ１１６とが係合されることで、手側測定部８６に固定される。このとき、カバー本体１１２の導電部１１３は、手側測定面８６Ａの手電極８７上に位置する。
【０１０５】
（その他の実施形態）
なお、本発明について実施形態の一例を説明したが、本発明はかかる実施形態に限定されるものではなく、本発明の範囲内にて他の種々の実施形態が可能である。
【０１０６】
例えば、上記の実施形態では、カバー本体１２、３２、４２、５２、６２、７２、９２、１０２、１１２は、パイルがループ状に織り込まれたタオル生地の布素材であったが、パイル表面をカットしたシャーリング生地の布素材から構成されていてもよい。
【０１０７】
また、生体情報測定装置２０、８０の測定面２２、足側測定面８４Ａには４個の足電極２６、８５が設けられ、生体情報測定装置８０の手側測定面８６Ａには２個ずつ手電極８７が設けられていたが、足電極２６、８５、手電極８７は何個設けられていてもよい。さらに、生体情報測定装置用カバー１０、３０、４０、５０、６０、７０、９０、１００、１１０の導電部１４、３３、４３、５３、６３、７３、９３、１０３、１１３も何個設けられていてもよく、１個の足電極２６、８５又は手電極８７に対して複数の導電部１４、３３、４３、５３、６３、７３、９３、１０３、１１３が設けられていてもよい。
【０１０８】
また、金属繊維１４Ａ、４３Ａ、７３Ａ、９３Ａ、１０３Ａを織り込む、もしくは金属材料３３Ａ、５３Ａ、６３Ａ、１１３Ａを被覆することによって導電部１４、３３、４３、５３、６３、７３、９３、１０３、１１３を形成していたが、炭素繊維等を付着させることにより導電部１４、３３、４３、５３、６３、７３、９３、１０３、１１３を形成してもよい。
【０１０９】
また、変形例では、本体部８２に無線タイプの手側測定部８６が着脱可能に取り付けられていたが、有線タイプの手側測定部８６が本体部８２とコードによって繋がれて取り付けられていてもよい。
【０１１０】
さらに、上記第１実施形態〜第７実施形態及び変形例は、適宜組み合わせることができる。例えば、第２実施形態〜第７実施形態及び変形例の導電部３３、４３、５３、６３、７３、９３、１０３、１１３は、第１実施形態の導電部１４のように、カバー本体３２、４２、５２、６２、７２、９２、１０２、１１２の他の部位と異なる模様又は色彩とすることによって、識別されていてもよい。
【０１１１】
また、第１実施形態〜第７実施形態及び変形例において、カバー本体１２、３２、４２、５２、６２、７２、９２、１０２、１１２は、第２実施形態、第３実施形態のように足型（手型）に盛り上がった形状とされていてもよく、第４実施形態のように足型（手型）に窪んだ形状とされていてもよい。また、第５実施形態、第６実施形態のように、導電部１４、３３、４３、５３、６３、７３、９３、１０３、１１３のみが盛り上がった形状とされていてもよい。
【符号の説明】
【０１１２】
１０、３０、４０、５０、６０、７０、９０、１００、１１０  生体情報測定装置用カバー
１２、３２、４２、５２、６２、７２、９２、１０２、１１２  カバー本体
１２Ａ、４２Ａ、６２Ａ      切欠き
１４Ａ 、４３Ａ、７３Ａ、９３Ａ、１０３Ａ  金属繊維（導電性繊維）
１４、３３、４３、５３、６３、７３、９３、１０３、１１３  導電部
１６                        保持層（保持手段）
２０Ａ                      溝（取付部）
２０、８０                  生体情報測定装置
２２                        測定面
２４、８８                  情報表示部
２６、８５                  足電極（電極部）
３２Ａ 、７２Ａ             穴
３３Ａ 、５３Ａ、６３Ａ、１１３Ａ  金属材料（導電性部材）
３４、１１４                雄側面ファスナ（保持手段）
３６、１１６                雌側面ファスナ（保持手段）
３８                        磁石（保持手段）
３９                        磁性体（保持手段）
４６                        テープ（保持手段）
４８                        フック（保持手段）
５４                        紐（保持手段）
５６                        留め具（取付部）
６４                        バンド（保持手段）
７４、９４、１０４          ゴム（保持手段）
８４Ａ                      足側測定面（測定面）
８６Ａ                      手側測定面（測定面）
８７                        手電極（電極部）
【図１】
2015213607.tif 000003
【図２】
2015213607.tif 000004
【図３】
2015213607.tif 000005
【図４】
2015213607.tif 000006
【図５】
2015213607.tif 000007
【図６】
2015213607.tif 000008
【図７】
2015213607.tif 000009
【図８】
2015213607.tif 000010
【図９】
2015213607.tif 000011